(57)【要約】【課題】キャビネットへの取付けのための高さ調整加工に際してパネル表面等の保護を図ることができる、化粧サイドパネルを提供する。【解決手段】キャビネット５０の側面５１に取り付ける化粧サイドパネル１０であって、上部材１１と下部材１２とから構成し、設置フロア面の凹凸又は傾斜状態などの設置環境に応じて下部材１２を加工して上部材１１と接合する。下部材１２の横幅Ｗ２を上部材１１の横幅Ｗ１よりも狭く形成して下部材１２と上部材１１とを接合すると、化粧サイドパネル下部に切欠部１７が形成される。【選択図】図１
2008178562.tif 000002
【特許請求の範囲】
【請求項１】
キャビネットの側面に取り付ける化粧サイドパネルであって、
上部材と下部材とから構成され、
設置環境に応じて上記下部材が加工されて上記上部材と接合することを特徴とする、化粧サイドパネル。
【請求項２】
前記下部材の横幅が前記上部材の横幅よりも狭く形成されており、該下部材と該上部材とを接合すると、化粧サイドパネル下部に切欠部が形成されることを特徴とする、請求項１に記載の化粧サイドパネル。
【発明の詳細な説明】
【技術分野】
【０００１】
本発明は、システムキッチンや組立式洗面化粧台などのシステム家具を構成するキャビネットの側面に取り付ける化粧サイドパネルに関するものである。
【背景技術】
【０００２】
従来のシステムキッチン，それに隣接して配置される作業台等のシステム家具は、複数個のキャビネットを組み合わせて構成したベースと、このベースの上に載置したカウンターと、を備えており、さらに外観上のデザインを高めるために、図６に示すように、端に位置するキャビネット１００の側面１０１に化粧サイドパネル１１０が取り付けられて構成されている。
【０００３】
上記した公知のシステム家具の例として、特許文献１には、側面全体が一枚の化粧板で覆われたシステムキッチンが開示されている。
【特許文献１】特開２００２−２３３４２５号公報（図５）
【発明の開示】
【発明が解決しようとする課題】
【０００４】
このように、システム家具を構成する各キャビネット等は設置場所のフロア上に個別に組み立てられて設置されるが、設置フロアが水平面をなしておらず不陸であると、隣接する各キャビネットの上面位置にズレが生ずる。この場合、キャビネットの下にスペーサーと呼ばれる高さ調節部材を入れたり、キャビネットに高さ調節用アジャスターを取り付けることで、各キャビネットの高さを揃えるようにしている。
【０００５】
このような作業によって端に位置するキャビネットの高さが調節された場合、その側面に取り付ける化粧サイドパネルは、キャビネットの高さに対応した寸法にカットしてから取り付けることが必要になる。また、化粧サイドパネルを設置する位置のフロアが不陸であると、化粧サイドパネルが傾斜してしまうので、化粧サイドパネルが垂直に起立するように、フロアに合わせて化粧サイドパネルの下部をカットする作業が必要である。
【０００６】
しかしながら、設置場所で化粧サイドパネルの高さ寸法を調節しようとすると、化粧サイドパネルが一枚の大きな板材として構成されていて、さらに、各種デザインや表面処理が施されたパネル表面が露呈した状態で加工しなければならないので、作業の過程でパネル表面に傷や汚れ等が付く虞があり、厳重な保護をしたうえで加工しなければならず、大変に手間を要する作業となってしまう。
【０００７】
本発明は、以上の点に鑑みて創作されたものであり、キャビネットへの取付けのための高さ調整加工に際してパネル表面等の保護を図ることができる、化粧サイドパネルを提供することを目的としている。
【課題を解決するための手段】
【０００８】
上記目的を達成するために、本発明に係るキャビネットの側面に取り付ける化粧サイドパネルは、上部材と下部材とから別体に構成され、設置環境に応じて下部材が加工されて上部材と接合されるようにしたことを特徴としている。
【０００９】
本発明の化粧サイドパネルは、下部材の横幅、即ち奥行き方向の寸法が前記上部材の横幅よりも狭く形成されて、下部材と上部材とを接合すると、化粧サイドパネル下部に切欠部が形成されるように構成されてもよい。
【発明の効果】
【００１０】
上記構成によれば、キャビネットへの取付けに際して設置場所の環境に応じて加工する化粧サイドパネルの下部材が、上部材から分離しているため、人の目に付きやすい上部材に傷や汚れなどが付くことを防止でき、しかも、下部材だけを設置フロアの凹凸面等に合わせて加工することができるので、施工作業が極めて容易に遂行できる。
【発明を実施するための最良の形態】
【００１１】
以下、図面に示した実施形態に基づいて本発明を詳細に説明する。
図１は本発明の実施形態に係る化粧サイドパネル１０を示す斜視図である。図中に二点鎖線で示す５０は、化粧サイドパネル１０を取り付けるキャビネットを概略的に示したものである。
本実施形態に係る化粧サイドパネル１０は、上下に二分割した構造であって、上部材１１と下部材１２とから構成されていることを特徴としている。
【００１２】
上部材１１は、キャビネット５０の側面５１において、キャビネット５０のけ込み５２よりも上方の側面領域を覆うように形成されている。具体的には、図１のキャビネット側面５１において右斜め上方向に延びた斜線を付した領域Ａを覆うよう、図示例では縦長の大きな平板として形成されている。下部材１２は、キャビネット５０の側面５１において、上部材１１によって覆われない側面下部領域を覆うように形成されている。具体的には、図１のキャビネット側面５１において右斜め下方向に延びた斜線を付した領域Ｂを覆うよう、横長の小さな平板として形成されている。さらに、下部材１２は、キャビネット５０の側面５１に取り付けた状態で、前端面１２Ａがキャビネット５０のけ込み表面５２Ａと面一になるようにその寸法が設定されている。即ち、下部材１２の横幅（奥行き方向の寸法）Ｗ２は、キャビネット５０の底面の奥行きＤと同一寸法に設定されていて、上部材１１の横幅Ｗ１よりもけ込み５２の寸法分だけ短い。上部材１１と下部材１２の厚みｔ１，ｔ２は同じに設定されている。
【００１３】
上部材１１と下部材１２とは、例えば、接着剤とダボ１５を併用することで接合されている。この場合、上部材１１と下部材１２とは、両側面１１Ｂ，１２Ｂと後端面１１Ｃ、１２Ｃとが面一となるように接合される。また、下部材１２の前端面１２Ａは、上部材１１の前端面１１Ａよりも後方に入り込んだ位置に配置される。よって、上部材１１と下部材１２とが一体になった状態では、図１に示すように、化粧サイドパネル１０の前側下部に、キャビネット５０のけ込み５２の深さに対応した切欠部１７が形成される。このような切欠部１７が形成されると、化粧サイドパネルが使用者の移動を妨げることを回避することができる。
【００１４】
上部材１１と下部材１２との接合構造は、具体的には、図２（ａ）に示すように、上部材１１の接合面に３つのダボ用穴１１Ｅ〜１１Ｇが形成されており、下部材１２の接合面には２つのダボ用穴１２Ｅ，１２Ｆが形成されている。各接合面のダボ用穴１１Ｅ〜１１Ｇ，１２Ｅ，１２Ｆの間隔Ｘは同じに設定されている。そして、下部材１２を上部材１１に接合する際に、二つのダボ１５を用い、これらのダボ１５を上部材１１の３つのダボ用穴１１Ｅ〜１１Ｇの内、隣接する二つのダボ用穴を選択することで、図２（ｂ）に示すように下部材１２を右端寄りに、或いは、図２（ｃ）に示すように下部材１２を左端寄りに設定することができる。
【００１５】
下部材１２は、例えば、上部材１１と同様の基材に同様の表面化粧処理を施して構成される。一般的に基材には、ＭＤＦやパーチクルボード等が用いられ、表面化粧処理には、艶有り塗装、艶消し塗装、化粧シート貼り等が用いられるが、これらに限定されるものではない。なお、下部材１２は、上部材１１とは異なる素材，異なる表面化粧処理であってもよい。例えば、下部材１１の表面化粧処理をキャビネットのけ込み５２と同様にすれば、切欠き部を形成したこととあいまって、け込み部がシステム家具周囲を囲んでいるように見え、システム家具の塊感が強調されるという視覚的な効果が得られる。
【００１６】
さらに、下部材１２は、上部材１１と接合する際に、図３（ａ）に示すように設置場所のフロアが不陸で化粧サイドパネル１０を垂直に起立させることができない場合には、フロア面ＦＬに合わせて下部が斜めにカットされる。例えば、図３（ａ）に示すカットラインＣＬで下部材１２の下端部を切除する。これにより、図３（ｂ）に示すように、化粧サイドパネル１０が垂直に配置される。また、例えば、キャビネット５０の設置の際に、キャビネット５０の高さを調節用アジャスターによって変更した場合には、化粧サイドパネル１０の全高がそのキャビネット高に対応するように、下部材１２を加工してその高さを調節する。このため、下部材１２の縦幅Ｈ（図１参照）はキャビネット５０のけ込み５２の高さよりも予め大きく設定されていてもよい。
【００１７】
このように、下部材１２がキャビネットの設置場所の環境に応じて、高さ調節及び角度調節などの加工を施されてから、上部材１１と接合されてキャビネット側面５１に取り付けられる。なお、化粧サイドパネル１０のキャビネット側面５１への取付けは、例えば接着剤やネジ等を利用して固定することができる。
【００１８】
本実施形態に係る化粧サイドパネル１０は以上説明したように、上部材１１と下部材１２との二分割構造で構成されており、キャビネット側面５１への取付けに際しては、化粧サイドパネル１０の高さや水平レベル等を設置場所の環境に対応するように下部材１２だけを加工することができる。そして、加工した下部材１２を上部材１１と接合して一枚の板状の化粧サイドパネル１０を構成し、この化粧サイドパネル１０をキャビネット５０の側面５１に取り付ければ、簡単に高さと水平レベル等の調整が可能になる。
【００１９】
よって、設置場所では下部材１２だけを加工すればよいので、設置作業の過程で上部材１１に傷や汚れ等が付くことを防止できる。これにより、使用者の目に付きやすい上部材１１の保護が図れる。一方、加工を施す下部材１２は上部材１１に比べてサイズが小さいためその取り扱いが容易であるので、下部材１２に傷等が付くことを低減できる。仮に下部材１２に傷等が付いたとしても、化粧サイドパネル１０のキャビネット取付状態において人の目に付き難い化粧サイドパネル下部に配設されるため、傷等は目立たない。したがって、化粧サイドパネル１０の美観を確保できて、これを取り付けたシステム家具等のデザイン性向上にも貢献できる。なお、本実施形態に係る化粧サイドパネル１０は上部材１１に対する下部材１２の位置を図２（ｂ），（ｃ）のように右端寄り又は左端寄りの何れかに変えることで、例えば、キッチンの左右何れの面にも１種類の化粧サイドパネル１０で対応できて、製造コスト等を低減できる。
【実施例】
【００２０】
次に、本発明における化粧サイドパネルの実施例を示す。
上記化粧サイドパネル１０は、図４（Ａ）に示すように、キャビネット５０上に載置したカウンター６０の側面６１を覆わないようにキャビネット側面に取り付ける形式のものに適用できる他、図４（Ｂ）に示すように、カウンター６０の側面を覆うようにキャビネット側面に取り付ける形式のものにも適用できる。なお、図４（Ａ）に示す化粧サイドパネル１０は、その側面１１Ｂ，１２Ｂがカウンター６０の側面６１と面一になっている。一方、図４（Ｂ）に示す化粧サイドパネル１０では、その上部がカウンター６０の上面６２よりも上方へ突出しているが、化粧サイドパネル１０の上端面１１Ｄとカウンター６０の上面６２とが面一の場合にも適用できる。
【００２１】
図５は本発明の他の実施形態に係る化粧サイドパネル１０Ａの使用状態を示す斜視図である。この化粧サイドパネル１０Ａは、上部材１１と下部材１２の横幅（奥行き）Ｗ１，Ｗ２が同じ寸法に設定されている点が、前述の化粧サイドパネル１０と異なっており、キャビネット５０のけ込み５２に対応した切欠部１７を備えていない。このように化粧サイドパネルが同一幅の上部材１１と下部材１２とで構成されてもよい。この場合も、キャビネット側面に取り付ける際に、設置環境に応じて下部材１２が加工されてから、上部材１１と接合される。
【００２２】
以上説明したが、本発明はその趣旨を逸脱しない範囲において様々な形態で実施をすることができる。例えば、本発明の化粧サイドパネルは、キャビネットの外側側面に限らず中央部にニースペース等の凹部を形成したキャビネットの内側側面にも適用できる。さらに、シンク，水栓，加熱調理装置（例えばガスコンロ，ＩＨクッキングヒーター）を備えたシステムキッチンのキャビネット側面に取り付けるものに限らず、システムキッチンに隣接して配置される作業台等のキャビネット側面にも取り付けることができる。或いは、厨房用に限らずその他の事務又は各種作業用など種々のシステム家具のキャビネットに適用することも勿論可能である。また、上部材には通常のＭＤＦやパーチクルボード等の基材を用い、その下端面に耐水処理を施し、下部材には高価であるが耐水性の高いラワン合板や耐水ＭＤＦを基材に用いると、少ないコスト増で、化粧サイドパネルの耐水性を効果的に高めることができる。さらにまた、下部材の上端面に下部材または上部材と同様の表面化粧処理を施しておくと、上部材と下部材の位置ズレが生じて、下部材上端面が露出したとしても、下部材上端面が目立つことがなく、上部材との位置ズレを目立ちにくくすることができる。化粧サイドパネルの上部材と下部材の境界が上記説明ではけ込み高さに設定されているが、この境界がけ込みよりも高い位置になるように形成されてもよい。この場合、使用者の目に付きやすい上部材が下部材よりも大きくなるように区切るのが望ましい。本発明の化粧サイドパネルを取り付けるキャビネットの構成は図示例に限定されるものではない。本発明の化粧サイドパネルは、片面だけを意匠面として仕上げたものにも適用できる。
【図面の簡単な説明】
【００２３】
【図１】本発明の実施形態に係る化粧サイドパネルを示す斜視図である。
【図２】本発明の実施形態に係る上部材と下部材との接合構造を示す図である。
【図３】図１の化粧サイドパネルの側面図である。
【図４】（Ａ）及び（Ｂ）は本発明の実施例に係る化粧サイドパネルを示す斜視図である。
【図５】本発明の他の実施形態に係る化粧サイドパネルを示す斜視図である。
【図６】従来の化粧サイドパネルを示す斜視図である。
【符号の説明】
【００２４】
１０  化粧サイドパネル
１１  上部材
１１Ａ，１２Ａ  前端面  １１Ｂ，１２Ｂ  側面
１１Ｃ，１２Ｃ  後端面
１１Ｅ〜１１Ｇ，１２Ｅ，１２Ｆ  ダボ用穴
１２  下部材
１５  位置決め部
１７  切欠部
５０  キャビネット
５１  キャビネット側面
５２  け込み
５２Ａ  け込み表面
６０  カウンター
６１  カウンター側面
６２  上面
【図１】
2008178562.tif 000003
【図２】
2008178562.tif 000004
【図３】
2008178562.tif 000005
【図４】
2008178562.tif 000006
【図５】
2008178562.tif 000007
【図６】
2008178562.tif 000008